(57)【特許請求の範囲】
【請求項１】
制御部にフラッシュマイコンを備えた電気機器であって、このフラッシュマイコンはプリント配線板上に実装されており、フラッシュマイコンに設けられたモードピンの状態を書き込みモードに対応する状態に保持した状態でフラッシュマイコンをリセットすると、フラッシュマイコンは内部のプログラムの書き換えモードに移行するものにおいて、上記プリント配線板上に、フラッシュマイコンからの切替信号によって上記モードピンの状態を書き込みモードに対応する状態に保持するラッチ回路を設け、フラッシュマイコンは外部からリセット信号を受信すると、ラッチ回路に対して切替信号を出力すると共に、自らをリセットし、モードピンの状態が書き込みモードに対応する状態でフラッシュマイコンが再起動して上記書き換えモードに移行することを特徴とする電気機器。
【請求項２】
上記プリント配線板は上方に開口する有底のケース内に載置され、このケース内に充填された樹脂で封止されていることを特徴とする請求項１に記載の電気機器。
【発明の詳細な説明】
【技術分野】
【０００１】
本発明は、フラッシュマイコンが搭載された電気機器に関する。
【背景技術】
【０００２】
マイコンはプログラムに従って動作するが、そのプログラムを外部からの信号によって書き換えることのできるフラッシュマイコンを備えた電気機器が知られている（例えば、特許文献１参照）。
【０００３】
このものでは、フラッシュマイコンはプリント配線板上に実装されており、このフラッシュマイコンのプログラムを書き換えるには、フラッシュマイコンを外部からのリセット信号で自己リセットするが、リセット後に再起動する際に、フラッシュマイコンの端子のうちのモードピンを通常とは異なる電位状態にしておくことにより、フラッシュマイコンはプログラムの書き換え可能状態に移行する。そして、書き換え可能状態にした後、プログラムデータをフラッシュマイコンに送信し、新しいプログラムで古いプログラムを上書きする。
【先行技術文献】
【特許文献】
【０００４】
【特許文献１】特開２０１４−２６６９号公報（図２）
【発明の概要】
【発明が解決しようとする課題】
【０００５】
フラッシュマイコンのプログラムの書き換えは通常であれば実施しないが、工場からの出荷直前にプログラムの変更の必要が生じた場合などに行われるものであり、ほとんどの場合、実装された状態のフラッシュマイコンのプログラムを書き換えることは希である。
【０００６】
一方において、フラッシュマイコンが実装されているプリント配線板を小型化する要請がある。
【０００７】
上記従来のものでは、プリント配線板にハーネスを接続する場合、コネクタを使用すると、モードピンに接続され、モードピンの電位状態を変更するための導線が必要であり、その導線のためにコネクタを大きくする必要があり、そのため、プリント配線板を小型化できないという不具合が生じる。
【０００８】
そこで本発明は、上記の問題点に鑑み、フラッシュマイコンが実装されているプリント配線板を可及的に小型化することのできる電気機器を提供することを課題とする。
【課題を解決するための手段】
【０００９】
上記課題を解決するために本発明による電気機器は、制御部にフラッシュマイコンを備えた電気機器であって、このフラッシュマイコンはプリント配線板上に実装されており、フラッシュマイコンに設けられたモードピンの状態を書き込みモードに対応する状態に保持した状態でフラッシュマイコンをリセットすると、フラッシュマイコンは内部のプログラムの書き換えモードに移行するものにおいて、上記プリント配線板上に、フラッシュマイコンからの切替信号によって上記モードピンの状態を書き込みモードに対応する状態に保持するラッチ回路を設け、フラッシュマイコンは外部からリセット信号を受信すると、ラッチ回路に対して切替信号を出力すると共に、自らをリセットし、モードピンの状態が書き込みモードに対応する状態でフラッシュマイコンが再起動して上記書き換えモードに移行することを特徴とする。
【００１０】
上記構成であれば、リセット信号を入力するための導線を設けることなくフラッシュマイコンを書き換えモードに移行させることができる。
【００１１】
なお、コネクタ自体を省略してハーネスを構成する各導線を直接プリント配線板にハンダ付けすることによりプリント配線板を更に小型化する場合がある。一方、上記プリント配線板は上方に開口する有底のケース内に載置され、このケース内に充填された樹脂で封止する場合があるが、このように樹脂で封止するものでは、予めリセット信号のための導線を予めプリント配線板に接続しておかなければ、リセット信号をフラッシュマイコンに入力することができない。そのため、このようにプリント配線板を樹脂で封止するものでは、本発明が特に有用である。
【発明の効果】
【００１２】
以上の説明から明らかなように、本発明は、モードピンの電位状態を切り替えるための専用の導線を設ける必要がないので、フラッシュマイコンが実装されているプリント配線板を可及的に小型化することができる。
【図面の簡単な説明】
【００１３】
【図１】プリント配線板がポッティングされている状態を示す図
【図２】フラッシュマイコン及びラッチ回路を示す図
【発明を実施するための形態】
【００１４】
図１を参照して、１は本発明による電気機器の一部であるプリント配線板である。このプリント配線板１にはフラッシュマイコン２及びラッチ回路３が実装されている。そして、プリント配線板１は上方に開口する有底のケース４内に収納され、その収納された状態で樹脂５によって、いわゆるポッティングと呼ばれる封止処理が施されている。なお、６はフラッシュマイコン２と外部との間で通信を行うためのハーネスであり、ハーネス６を構成する各導線はプリント配線板１に直接ハンダ付けされている。
【００１５】
図２を参照して、フラッシュマイコン２は内蔵するＲＯＭ内に書き込まれているプログラムを、上記ハーネス６を介して送信される新たなプログラムに書き換えることができる機能を備えている。但し、外部からのリセット信号を受信してフラッシュマイコン２が自己リセットし、再起動した際に、通常はロー状態であるモードピン２１がハイ状態であれば、フラッシュマイコン２はプログラムの書き換えが可能な状態に移行し、プログラムの書き換えが行われる。逆に、リセットされ再起動した際にモードピン２１が通常のロー状態であれば、書き換え可能な状態には移行しない。そのため、従来のものではモードピン２１に接続された導線を上記ハーネス６内に設け、プログラムを書き換える際にはリセット信号を送信すると共に、モードピン２１に接続されている導線をハイ状態にしていた。
【００１６】
本発明ではモードピン２１に接続される導線を廃止し、ラッチ回路３を設けた。また、フラッシュマイコン２は外部からリセット信号が送信されると、自己リセットする前にラッチ起動ピン２２を通常のハイ状態からロー状態に切り替えるように設定されている。
【００１７】
ラッチ起動ピン２２がロー状態になると、ＰＮＰ型のトランジスタ３１のベースがローになるので、トランジスタ３１のエミッタ／コレクタ間がオンとなり、ＮＰＮ型のトランジスタ３２のベースがハイになり、その結果、トランジスタ３２のコレクタ／エミッタ間がオンになる。すると、トランジスタ３２によってトランジスタ３１のベースがアースに落とされるので、ラッチ起動ピン２２の状態がロー状態からハイ状態に戻ったとしても、トランジスタ３１のオン状態が保持され、モードピン２１がハイ状態に保持され続けることになる。
【００１８】
その状態でフラッシュマイコン２が自己リセットして再起動すると、モードピン２１がハイ状態になっているので、フラッシュマイコン２はプログラムの書き換え可能状態に移行することになる。なお、プログラムの書き換えが完了すると、一旦電源１０をオフにすると、ラッチ回路３の状態がリセットされ、モードピン２１は通常のロー状態に戻る。
【００１９】
なお、本発明は上記した形態に限定されるものではなく、本発明の要旨を逸脱しない範囲内において種々の変更を加えてもかまわない。
【符号の説明】
【００２０】
１  プリント配線板
２  フラッシュマイコン
３  ラッチ回路
４  ケース
２１  モードピン
２２  ラッチ起動ピン
【図１】
0006670024.tif 000002
【図２】
0006670024.tif 000003